(57)【特許請求の範囲】
【請求項１】
周囲の空気を吸気し、空気中の濃度よりも高い酸素濃度のエアを、酸素流量調整弁よりなる調整ダイヤルにて、所望の酸素濃度に調整して、吐出口より吐出する酸素供給部と、  前記吐出口に接続され、内部に設けられるフィルターにて、通過する前記エアを浄化し流出させる浄化部と、
該浄化部の供給口に接続される逆止弁と、
該逆止弁を介して浄化部に接続される流入口を備えるとともに、該流入口に連通する流路の中途が複数に分岐して複数の接続流出口を備え、且つ、各接続流出口にはそれぞれ弁体よりなる切替操作部を具備し、各接続流出口及び各切替操作部は互いに近接して配設されており、前記複数の切替操作部の開閉操作にて、前記接続流出口を選択して開放可能とすることで、前記流入口より供給される前記エアを、選択された前記接続流出口より流出させる分岐切替部と、
を具備するとともに、
前記複数の接続流出口には、
該接続流出口に接続される加湿容器を備えるとともに、該加湿容器にて加湿された前記エアを噴出するノズルを備え、鼻孔等より吸入するための吸入用噴出管と、
ボトル内に挿入されるボトル用散気管を備え、該ボトル内の飲用水中に気泡として前記エアを噴出させる飲用気泡噴出管と、
浴槽内の湯又は水内に挿入される浴槽用散気管を備え、前記エアを気泡として噴出させる浴用気泡噴出管と、
顔面や頭髪部、皮膚などの身体の一部となる対象部を覆うフード部を備え、前記対象部に対して前記エアを噴出させるエア噴出管と、
のいずれかが選択して取り付けられることを特徴とする酸素供給装置。
【請求項２】
前記浄化部のフィルターは、光触媒を具備して構成される浄化フィルターよりなることを特徴とする請求項１記載の酸素供給装置。
【請求項３】
前記酸素供給部は、圧力変動吸着型酸素濃縮装置（ＰＳＡ）よりなることを特徴とする請求項１又は２記載の酸素供給装置。
【請求項４】
前記浴用気泡噴出管には、前記エアが通るチューブの中途が、前記浴槽内の湯面又は水面よりも上方となるように、浴室内壁面に固定する係止具を具備するとともに、この係止具に位置して逆止弁が設けられることを特徴とする請求項１又は２又は３記載の酸素供給装置。
【発明の詳細な説明】
【技術分野】
【０００１】
本発明は、吸入や飲用水、浴用などに利用する酸素濃度を高めたエアを有効に利用するための酸素供給装置に関するものである。
【背景技術】
【０００２】
空気中の酸素の濃度を高めて、これを水などの液体に気泡として噴出させ溶け込ませて酸素濃度を高めた酸素含有飲料を得て飲用したり、酸素濃度の高いエアをノズルやカニューラより噴出させて鼻や口から吸入し、ストレス緩和や身心のリラックス効果等を得たり、呼吸器疾患などで酸素療法のために用いられる酸素濃縮器が知られている。酸素濃縮器は、薬剤と水とを反応させて酸素を得る方法や、周囲の空気を取り込み、その空気中の酸素と窒素とを分離する酸素富化膜を用いる方法（下記特許文献１）、窒素を吸着する吸着剤を用いて加圧と減圧とを繰り返すことにより空気中の酸素と窒素を分離する圧力変動吸着（ＰＳＡ）式などがあり、医療用や家庭用として種々の構造，形状とされ利用されている。
【先行技術文献】
【特許文献】
【０００３】
【特許文献１】特開２００４−３５１２９４号公報
【特許文献２】特開２００５−６６０７３号公報
【発明の概要】
【発明が解決しようとする課題】
【０００４】
しかしながら、上述した従来の酸素濃縮器では、飲料用として、或いは吸入用として、それぞれ専用の機器を構成しており、生成される酸素が有効に使われておらず、濃度の高い酸素によって得られる種々の効能や効果を多面的に有効利用する手段、例えば複数人で数種の方法にて利用するなど手軽に利用する手段が全く想定されていなかった。
【０００５】
そこで本発明は、上記問題点を解消するために、酸素濃度の高いエアを有効に利用することができ、健康面など身心に対し、或いは美容などに対しても簡単に楽しみながら高濃度酸素を色々な手段で取り入れ、また複数人で利用することを可能とする酸素供給装置を提供することを目的としている。
【課題を解決するための手段】
【０００６】
次に、上記の課題を解決するための手段を、実施の形態に対応する図面を参照して説明する。
本発明の請求項１記載の酸素供給装置１は、周囲の空気を吸気し、空気中の濃度よりも高い酸素濃度のエアを、酸素流量調整弁よりなる調整ダイヤルにて、所望の酸素濃度に調整して、吐出口４より吐出する酸素供給部２と、
前記吐出口４に接続され、内部に設けられるフィルターにて、通過する前記エアを浄化し流出させる浄化部７と、
該浄化部７の供給口９に接続される逆止弁１１と、
該逆止弁１１を介して浄化部７に接続される流入口１３を備えるとともに、該流入口１３に連通する流路の中途が複数に分岐して複数の接続流出口１４を備え、且つ、各接続流出口１４にはそれぞれ弁体よりなる切替操作部１５を具備し、各接続流出口１４及び各切替操作部１５は互いに近接して配設されており、前記複数の切替操作部１５の開閉操作にて、前記接続流出口１４を選択して開放可能とすることで、前記流入口１３より供給される前記エアを、選択された接続流出口１４より流出させる分岐切替部１２と、
を具備するとともに、
前記複数の接続流出口１４には、
該接続流出口１４に接続される加湿容器２１を備えるとともに、該加湿容器２１にて加湿された前記エアを噴出するノズル２７を備え、鼻孔等より吸入するための吸入用噴出管２０Ａと、
ボトル３３内に挿入されるボトル用散気管３２を備え、該ボトル３３内の飲用水中に気泡として前記エアを噴出させる飲用気泡噴出管２０Ｂと、
浴槽３５内の湯又は水内に挿入される浴槽用散気管３４を備え、前記エアを気泡として噴出させる浴用気泡噴出管２０Ｃと、
顔面Ｆや頭髪部Ｈ、皮膚などの身体の一部となる対象部を覆うフード部３７，３８を備え、前記対象部に対して前記エアを噴出させるエア噴出管２０Ｄと、
のいずれかが選択して取り付けられることを特徴とする。
【０００７】
この酸素供給装置１では、分岐切替部１２の複数の接続流出口１４に、吸入用噴出管２０Ａ、飲用気泡噴出管２０Ｂ、浴用気泡噴出管２０Ｃ、エア噴出管２０Ｄを選択して取り付けて、それらに対応する切替操作部１５の開閉操作により、酸素供給部２から吐出される酸素濃度の高いエアを吸入や飲料として、或いは浴槽内にて得る。吐出されるエアは、調整ダイヤルの操作で所望の酸素濃度とされる。各接続流出口１４に、それぞれ各種噴出管２０Ａ，２０Ｂ，２０Ｃ，２０Ｄを取り付けて接続でき、すなわち１台の装置にて一人で複数種の方法で利用でき、また複数種、複数人の同時利用が可能となり、使用しない接続流出口１４は切替操作部１５で閉じることも可能で、各種噴出管２０を用途に応じ利用することができる。
【０００８】
請求項２記載の酸素供給装置は、請求項１記載の酸素供給装置１において、
前記浄化部７のフィルターは、光触媒を具備して構成される浄化フィルターよりなることを特徴とする。
【０００９】
この酸素供給装置１では、酸素供給部２より吐出される酸素濃度の高いエアを浄化フィルターに通すことで、さらに浄化させ、塵埃などの異物や、細菌やウィルス、異臭などの除去を確実なものとし、よりクリーンなエアを得ることができ、吸入したり飲用する際に最適化される。
【００１０】
請求項３記載の酸素供給装置は、請求項１又は２記載の酸素供給装置１において、
前記酸素供給部２は、圧力変動吸着型酸素濃縮装置（ＰＳＡ）よりなることを特徴とする。
【００１１】
この酸素供給装置１では、酸素供給部２を圧力変動吸着型酸素濃縮装置で構成することにより、周囲の空気から酸素を十分に高濃度に取り出すことができ、吸入や飲用、浴用、美容用など種々利用することができ、また高濃度で得られることから、例えば酸素水生成などにおける時間短縮の効果もある。
【００１２】
請求項４記載の酸素供給装置は、請求項１又は２又は３記載の酸素供給装置１において、
前記浴用気泡噴出管２０Ｃには、前記エアが通るチューブ１９の中途が、前記浴槽３５内の湯面又は水面よりも上方となるように、浴室内壁面に固定する係止具３６を具備するとともに、この係止具３６に位置して逆止弁が設けられることを特徴とする。
【００１３】
この酸素供給装置１では、常に湯又は水が張られている状態となる浴槽３５内に浴槽用散気管３４を沈めておくことから、酸素供給部２が停止した際や、チューブ１９が外れるなどの不都合が起きた場合に、湯や水が逆流を起こすことがなくなる。
【発明の効果】
【００１４】
本発明による請求項１記載の酸素供給装置では、分岐切替部に設けられた複数の接続流出口に、吸入用噴出管、飲用気泡噴出管、浴用気泡噴出管、エア噴出管を選択して取り付けることができ、それらに対応する切替操作部の操作により、開閉の操作が行え、酸素供給部から吐出される酸素濃度の高いエアを吸入や飲料として、或いは浴槽内にて得られ、また使用しない場合に切替操作部で閉じることが可能である。そして、各接続流出口にそれぞれ各種噴出管を取り付けて接続でき、すなわち１台の装置で複数種の利用が可能となるとともに、複数人での利用でも可能となり、各種噴出管を用途に応じ手軽に利用することが可能となる。また、酸素供給部には、調整ダイヤルが設けられることで、吐出するエアの酸素濃度を所望の濃度に調整することができる。
【００１５】
請求項２記載の酸素供給装置では、酸素供給部より吐出される酸素濃度の高いエアを浄化フィルターに通すことで、さらにエアを浄化させ、塵埃などの異物や、細菌やウィルス、異臭などの除去を確実なものとし、よりクリーンなエアを得ることが可能となる。
【００１６】
請求項３記載の酸素供給装置では、酸素供給部を圧力変動吸着型酸素濃縮装置で構成することにより、周囲の空気から酸素を十分に高濃度に取り出すことができ、吸入や飲用、浴用、美容用など種々利用することができる。また高濃度の酸素を得られることから、例えば酸素水生成などにおける時間短縮の効果もある。
【００１７】
請求項４記載の酸素供給装置では、常に湯又は水が張られている状態となる浴槽内に浴槽用散気管を沈めておくことから、酸素供給部が停止した際や、チューブが外れるなどの不都合が起きた場合に、チューブを伝って湯や水が逆流を起こすことがなくなる効果がある。
【図面の簡単な説明】
【００１８】
【図１】本発明による酸素供給装置の全体概略図である。
【図２】同酸素供給装置を構成する酸素供給部と分岐切替部とを示した図である。
【図３】同酸素供給装置の使用例を示した図である。
【図４】同酸素供給装置の分岐切替部の他の構成を示した斜視図である。
【図５】同酸素供給装置の分岐切替部の他の構成を示した平面図である。
【発明を実施するための形態】
【００１９】
本発明の酸素供給装置１は、酸素供給部２と、浄化部７と、逆止弁１１と、分岐切替部１２と、噴出管２０とで大略構成されている。
酸素供給部２は、圧縮変動吸着型酸素濃縮装置（ＰＳＡ）を構成し、図示しないが、筐体３内に空気を取り込む吸入部、空気中の窒素を選択的に吸着する吸着剤や、空気の減圧等を行うコンプレッサーなどが内蔵され、筐体３の周囲の空気を取り込み、筐体内に設けられるゼオライトなどで構成されるフィルターにて塵埃などの異物や細菌やウィルスなどを除去するとともに、その空気中の酸素を濃縮して吐出口４より送出する。本実施の形態では、筐体３に表出して設けられる主電源スイッチ５にて、作動の開始及び停止が行われるとともに、図示しないが、吐出する酸素濃度を調整できる調整ダイヤルを備えている。また、吐出口４は、筐体３正面に形成される装着凹部６の内側に延設されている（図１，２参照）。本実施の形態では、調整ダイヤルは酸素流量調整弁で構成され、すなわち吐出する流量を調整することで酸素濃度が変わるもので、例えば、流量７リットルの際に酸素濃度約４２％、流量５リットルの際に酸素濃度約５５％、流量４リットルの際に酸素濃度約６９％、流量３リットルの際に酸素濃度約９２％、と、流量を減らすことで酸素濃度の高いエアが得られるようになっている。また、タイマー設定も可能な構成とされ、設定された時間に達するとエアの吐出を停止するようになっている。
【００２０】
装着凹部６には、浄化部７が取り付けられる。浄化部７は、円筒状の容器に、酸化チタンよりなる光触媒を具備して構成される浄化フィルターが内設される。容器の上端には、接続口８が設けられており、酸素供給部２の吐出口４に接続される。また接続口８に隣接して供給口９が設けられる。供給口９には、接続チューブ１０を介して逆止弁１１が接続され、酸素供給部２からのエアを逆流させずに一方向へのみ流すようになっている。
【００２１】
分岐切替部１２は、図１及び図２に示すように、逆止弁１１及び接続チューブ１０を介して浄化部７に接続される流入口１３を備える。分岐切替部１２は、内部が流入口１３に連通する流路の中途が複数に分岐しており、本実施の形態では４つに分岐し、それぞれが接続流出口１４にて開口する。また、各接続流出口１４には、弁体よりなる切替操作部１５を備えている。この切替操作部１５は、例えばトグルスイッチ状の開閉弁や、ボールバルブ、バタフライバルブなどの手動切替弁よりなり、１つの流入口１３から供給されるエアが４つに分岐した後に、それぞれの接続流出口１４からエアを流出とするか否か選択することが可能となる。本実施の形態では、図２に示すようにスイッチボックス状とし、「開」また「閉」の標示を設けて、４つの接続流出口１４の状態を視認可能としている。
【００２２】
次に、噴出管２０は、本実施の形態では、吸入用噴出管２０Ａ、飲用気泡噴出管２０Ｂ、浴用気泡噴出管２０Ｃ、エア噴出管２０Ｄにて構成され、分岐切替部１２の接続流出口１４に接続される。なお、各噴出管２０Ａ，２０Ｂ，２０Ｃ，２０Ｄはシリコン樹脂などの柔軟な樹脂素材よりなる所定の長さのチューブ１９が備えられる。
【００２３】
吸入用噴出管２０Ａは、図１に示すように、分岐切替部１２の接続流出口１４にチューブ１９を介して接続される加湿容器２１と、この加湿容器２１にチューブ２２を介して接続されるヘッドセット２３とで構成される。ヘッドセット２３は、後頭部若しくは首の後に装着される略Ｕ字状のバンド部２４を備えるとともに両耳に掛けられるフック部２５を有する湾曲フレーム形状とされ、両耳を覆う耳当て部２６の一方に、チューブ２２が接続され、またこの一方の耳当て部２６に噴出ノズル２７が延設されている。噴出ノズル２７は、形状を維持可能なフレキシブルチューブ等よりなる延長部２７ａを備え、装着時に噴出口が顔面における鼻孔や口元に向くように調整可能となっている。加湿容器２１は、酸素供給部２より供給される乾燥したエアに対し、適度な湿度を付与するために、この酸素供給部２と噴出ノズル２７との間に介設されるものである。この加湿容器２１は、水を蓄えたボトル２８と、酸素供給部２からのエアを水中に気泡として噴出させる多孔質樹脂製の噴出筒２９と、水面上のエアを流出させる接続口３０とを備え、ボトル２８内にて酸素供給部２からのエアを水に潜らせ、加湿されたエアを接続口３０から供給できるものである。
【００２４】
また、この吸入用噴出管２０Ａは、図３に示すようなカニューラ３１で構成することとしても良く、鼻孔からの酸素吸入をより効率よく行うことを可能としている。さらに、鼻孔や口元に直接的に噴出させ供給するだけではなく、室内に対して高濃度酸素エアを噴霧するような構成としてもよい。
【００２５】
なお、この吸入用噴出管２０Ａには、図示しないが、芳香剤を内蔵する芳香部をいずれかの位置、例えば噴出ノズル２７の中途や加湿容器２１とヘッドセット２３との間などに設けることとしてもよく、吸入するエアに好みの香り付けを行うこととしてもよい。
【００２６】
飲用気泡噴出管２０Ｂは、図１に示すように、分岐切替部１２の接続流出口１４に接続される所定長さのチューブ１９を具備し、そのチューブ１９の先端にボトル用散気管３２を接続した構成となっている。ボトル用散気管３２は、多孔質樹脂製の筒状部材、或いは砂や金属粒、金属粉を焼結して形成した部材とされ、飲料水用のボトル３３内に挿入されて、このボトル３３内に入れた飲料水中に酸素供給部２からの酸素濃度を高めたエアを気泡として噴出させる。水中に噴出されるエアは、散気管３２により気泡となっていることで、ボトル３３内で所謂エアレーションが行われ、飲料水に溶け込み、溶存酸素量が高い酸素水が得られる。本実施の形態では、５リットルのボトル３３内に約３０分のエア供給を行うことで溶存酸素量がおよそ３８ｐｐｍとなる酸素水が得られる。
【００２７】
なお、この飲用気泡噴出管２０Ｂを用いることで得られる酸素水は、飲用のみではなく、アトマイザーや霧吹きなどに移し替え、酸素水の噴霧などを行うこととしても良く、例えば肌に噴霧したり、食品への噴霧なども可能となり、洗浄などにも利用することができる。
【００２８】
浴用気泡噴出管２０Ｃは、図１に示すように、上記飲用気泡噴出管２０Ｂと同様に所定長さのチューブ１９を具備するとともに、チューブ先端に浴槽用散気管３４を接続した構成となっている。浴槽用散気管３４は、ボトル用散気管３２と同様の構造であり、多孔質樹脂製の筒状部材、或いは砂や金属粒、金属粉を焼結して形成した部材とされる。そして、この浴槽用散気管３４を湯や水を張った浴槽３５内に沈めて、酸素供給部２からの酸素濃度を高めたエアを気泡として噴出させる。湯中や水中に噴出されるエアは、浴槽用散気管３４によって気泡となって放たれ、浴槽３５内にてエアレーションが行われて湯内又は水内に溶け込むこととなる。また、湯面又は水面へと浮上する気泡は、浴槽３５内における湯面又は水面から浴槽縁３５ａ部分の空間に放出され、酸素自体が空気よりも比重がやや重いことから、浴槽３５内側に酸素濃度の高い空間が形成されて、浴槽３５内における湯や水から皮膚への酸素供給と、湯や水に浸かった状態での湯面や水面より上での呼吸による酸素吸入が行われることになり、相乗効果を得られるものである。
【００２９】
なお、本実施の形態の浴用気泡噴出管２０Ｃには、浴室内の壁面に固定される係止具３６を具備し、チューブ１９の中途が掛けられるようになっている。すなわち、チューブ１９の中途を浴槽３５内の湯面又は水面よりも上方位置となるよう設定でき、浴槽用散気管３４が湯中や水中に沈んだ状態で酸素供給部２が停止、或いはチューブ１９の中途が破損し十分なエア吐出量が得られない、チューブ接続部分が外れてしまったなどの不具合が発生した際に、散気管３４から湯や水が逆流しないようになっており、酸素供給部２の安全が図られている。また、この係止具３６に位置して逆止弁が設けられることが好ましい。
【００３０】
エア噴出管２０Ｄは、円形器状のフード部を備え、上記同様のチューブにて接続流出口に接続される。フード部は、図３に示すように、身体の一部である対象部としての顔面Ｆを覆う略碗状に形成される顔面用フード部３７や、頭髪部分Ｈを覆うような略半球状に形成される頭部用フード部３８よりなる。また図示しないが、顔面Ｆや頭髪部Ｈ以外の身体の一部、例えば腕や脚、腹部などの対象部に対して、覆うような形状、例えば皿形状など対象となる身体の形に沿う形状のフード部を具備する。これらフード部３７，３８と接続流出口１４との間のチューブ１９には、上記した吸入用噴出管２０Ａを構成する加湿容器２１を介設することとしても良い。そして、酸素供給部２より吐出される酸素濃度の高いエアは、チューブ１９，２２を介してフード部３７，３８より噴出し、覆われた顔面Ｆや頭髪部分Ｈに対して供給が行われる。
【００３１】
従ってこのように構成された酸素供給装置１では、酸素供給部２の電源を入れ稼動させるとともに、酸素濃度の調整を行って必要な濃度の酸素が得られるよう設定し、また、分岐切替部１２の複数の接続流出口１４に、利用したい噴出管２０を接続する。分岐切替部１２では、切替操作部１４を操作し、接続された噴出管２０に対して酸素供給部２からのエアを送るよう設定する。そして噴出管２０から噴出する酸素濃度の高いエアを用途に応じ選択して利用することとなる。図３に示すように、複数人でそれぞれ異なる例えば吸入（ヘッドセット２３，カニューラ３１）と顔面用フード部３７と頭髪用フード部３８とを同時に使用したり、また、図１に示すように、吸入用、飲用、浴用にそれぞれ同時に利用でき楽しむことが可能となる。
【００３２】
なお、上述した実施の形態では、分岐切替部１２の切替操作部１５の構成として、図２に示すようなスイッチボックス構造としトグルスイッチ状の開閉弁にて構成する例について述べたが、この切替操作部１５は、図４に示すような、三方分岐コック１５Ａや、図５に示すような５方連結コック１５Ｂなどで構成してもよく、このような簡素な開閉弁にて構成されるものとしてもよい。これら三方分岐コック１５Ａなどによれば、それぞれの操作片１６の開閉操作で、各接続流出口１４に接続される種々の噴出管２０に対して酸素供給が行えるもので、開閉状態が容易に視認でき、コンパクトに構成できるものである。
【００３３】
また、逆止弁１１と分岐切替部１２との間のチューブ１０に、二又分岐管を設けるとともに、一方を逆止弁１１から分岐切替部１２とし、他方に流量調整弁または安全弁を設ける構成が好ましい。例えば、分岐切替部１２の切替操作部１５が全て閉鎖となったまま酸素供給部２が稼動した場合に、逆止弁１１を具備することからも酸素供給部２からの吐出エアの圧力が設定以上に上昇してしまうこととなり、これを防ぐために流量調整弁を設けて吐出エアを僅かに漏れるよう制御したり、安全弁にて圧力が所定値を越えた際に作動することとして、酸素供給部２の故障等を回避することができる。
【００３４】
さらに、上述した実施の形態では、酸素供給部２と分岐切替部１２、逆止弁１１を別体構造として、図示した例を示したが、これら酸素供給部２や逆止弁１１、分岐切替部１２や切替操作部１５は、１つの筐体に具備されるよう一体構造として構成しても良いものであり、省スペース化を図ることが可能となる。
【符号の説明】
【００３５】
１…酸素供給装置
２…酸素供給部
４…吐出口
７…浄化部
９…供給口
１１…逆止弁
１２…分岐切替部
１３…流入口
１４…接続流出口
１５…切替操作部
１９…チューブ
２０Ａ…吸入用噴出管
２０Ｂ…飲用気泡噴出管
２０Ｃ…浴用気泡噴出管
２０Ｄ…エア噴出管
２１…加湿容器
２２…チューブ
２７…噴出ノズル
３２…ボトル用散気管
３３…ボトル
３４…浴槽用散気管
３５…浴槽
３６…係止具
３７…顔面用フード部
３８…頭部用フード部
【図１】
0005628699.tif 000002
【図２】
0005628699.tif 000003
【図３】
0005628699.tif 000004
【図４】
0005628699.tif 000005
【図５】
0005628699.tif 000006